(57)【要約】本発明は、ネットワーク装置においてユーザによって選択されたコンテンツをネットワーク装置から目標装置へ送信するための方法及び装置に関する。この方法及び装置において、ユーザは、ユーザアカウントＩＤによって識別されるネットワーク装置に保存されたユーザアカウントデータを有し、このユーザアカウントデータは目標装置のネットワークアドレスを含む。この場合に、ユーザアカウントＩＤは、ユーザアカウントデータに関連するユーザから受信され、それに基づいて、コンテンツは、ネットワークアドレスを基に目標装置へ送信される。
2008526053.tif 000002
【特許請求の範囲】
【請求項１】
ネットワーク装置においてユーザによって選択されたコンテンツを前記ネットワーク装置から目標装置へ送信する方法であって、前記ユーザは、ユーザアカウントＩＤによって識別される前記ネットワーク装置に保存されたユーザアカウントデータを有し、前記ユーザアカウントデータは、前記目標装置のネットワークアドレスを少なくとも含む方法において：
前記ユーザアカウントデータに関して前記ユーザから前記ユーザアカウントＩＤを受信するステップ，及び
前記ユーザアカウントデータに含まれる前記ネットワークアドレスに基づいて前記目標装置へ前記選択されたコンテンツを送信するステップ，
を有する方法。
【請求項２】
前記目標装置のコンテンツ配信プロトコルは、更に、前記ユーザアカウントデータに含まれる、請求項１記載の方法。
【請求項３】
前記ユーザアカウントデータは、前記目標装置と前記ネットワーク装置との間の接続を開始して、前記アカウントデータを前記ネットワーク装置へ送信することによって取得される、請求項１又は２記載の方法。
【請求項４】
前記ネットワーク装置は、前記目標装置のコンテンツ配信プロトコルを要求するよう前記選択されたコンテンツを送信する前に前記目標装置へ要求を送信する、請求項１乃至３のうちいずれか一項記載の方法。
【請求項５】
前記目標装置は、コンテンツが前記ユーザによって要求されたかどうかを定期的に確認し、それに基づいて前記コンテンツの送信を開始する、請求項１乃至４のうちずれか一項記載の方法。
【請求項６】
処理ユニットに請求項１乃至５のうちいずれか一項記載の方法を実行させるための、当該媒体に記憶された命令を有するコンピュータ読取可能な媒体。
【請求項７】
ユーザによって選択されたコンテンツを当該ネットワーク装置から目標装置へ送信するネットワーク装置であって、前記ユーザは、ユーザアカウントＩＤによって識別される当該ネットワーク装置に保存されたユーザアカウントデータを有し、前記ユーザアカウントデータは、前記目標装置のネットワークアドレスを少なくとも含むネットワーク装置において：
前記ユーザアカウントデータに関して前記ユーザから前記ユーザアカウントＩＤを受信する手段，及び
前記ユーザアカウントデータに含まれる前記ネットワークアドレスに基づいて前記目標装置へ前記選択されたコンテンツを送信する手段，
を有するネットワーク装置。
【請求項８】
ネットワーク装置及び少なくとも１つの目標装置を有し、前記ネットワーク装置は、ユーザによって選択されたコンテンツを前記ネットワーク装置から前記少なくとも１つの目標装置へ送信し、前記ユーザは、ユーザアカウントＩＤによって識別される前記ネットワーク装置に保存されたユーザアカウントデータを有し、前記ユーザアカウントデータは、前記少なくとも１つの目標装置のネットワークアドレスを少なくとも含むネットワークシステムであって：
前記ユーザアカウントデータに関して前記ユーザからの前記ユーザアカウントＩＤを使用する手段，及び
前記ユーザアカウントデータに含まれる前記ネットワークアドレスに基づいて前記少なくとも１つの目標装置へ前記選択されたコンテンツを送信する手段，
を有するネットワークシステム。
【請求項９】
前記ユーザアカウントデータは、前記少なくとも１つの目標装置と前記ネットワーク装置との間の接続を開始して、前記ネットワークアドレスを前記ネットワーク装置へ送信する手段によって取得される、請求項８記載のネットワークシステム。
【請求項１０】
ウェブサーバは、前記少なくとも１つの目標装置と前記ネットワーク装置との間の前記接続を開始するために使用される、請求項８又は９記載のネットワークシステム。
【請求項１１】
ウェブサーバは、前記少なくとも１つの目標装置に組み込まれる、請求項８乃至１０記載のネットワークシステム。
【請求項１２】
ウェブサーバは、前記少なくとも１つの目標装置の外部に配置される、請求項８乃至１１記載のネットワークシステム。
【請求項１３】
前記ネットワーク装置は、様々な目標装置と互換性がある、請求項８乃至１２のうちいずれか一項記載のネットワークシステム。
【請求項１４】
前記少なくとも１つの目標装置はポーリング装置である、請求項８乃至１３のうちいずれか一項記載のネットワークシステム。
【発明の詳細な説明】
【技術分野】
【０００１】
本発明は、ネットワーク装置においてユーザによって選択されたコンテンツを前記ネットワーク装置から目標装置へ送信する方法であって、前記ユーザは、ユーザアカウントＩＤによって識別される前記ネットワーク装置に保存されたユーザアカウントデータを有し、前記ユーザアカウントデータは、前記目標装置のネットワークアドレスを少なくとも含む方法に関する。
【０００２】
本発明は、また、ユーザによって選択されたコンテンツを当該ネットワーク装置から目標装置へ送信するネットワーク装置であって、前記ユーザは、ユーザアカウントＩＤによって識別される当該ネットワーク装置に保存されたユーザアカウントデータを有し、前記ユーザアカウントデータは、前記目標装置のネットワークアドレスを少なくとも含むネットワーク装置に関する。
【０００３】
本発明は、更に、ネットワーク装置及び少なくとも１つの目標装置を有し、前記ネットワーク装置は、ユーザによって選択されたコンテンツを前記ネットワーク装置から前記少なくとも１つの目標装置へ送信し、前記ユーザは、ユーザアカウントＩＤによって識別される前記ネットワーク装置に保存されたユーザアカウントデータを有し、前記ユーザアカウントデータは、前記目標装置のネットワークアドレスを少なくとも含むネットワークシステムに関する。
【背景技術】
【０００４】
ブロードバンド常時接続のインターネット接続は、ユーザが、如何なる場所で如何なるインターネット可能な装置を用いても、コンテンツオンラインを物色し、このコンテンツを、自宅で常時オンされ、常時接続された記憶装置へ配信させることを可能にする。これは、ユーザが、例えば、幾つかのオンラインショップを閲覧して、買い物をするために彼らのｉモード（登録商標）機能を有する携帯電話を使用し、ユーザが目的を達成した場合に自宅で彼らを待っているコンテンツを有することを意味する。ショッピングのためにコンテンツ配信とは異なった装置を使用するには、以下の理由がある。ショッピング装置は、資源制約型であり、即ち、ブロードバンド接続されず、または、アクセス可能コンテンツ保護システムに準拠しない。閲覧のために使用される装置が、コンテンツが配信されるところの装置でない場合に、このようなシステムに伴う問題の１つは、ユーザがどうにかして目標装置を特定しなければならないことである。更に、如何なる購入がなされる前にも、ユーザは、ショップが実際にこの目標装置へ接続して、コンテンツを配信することができることを確かめることを望む。
【発明の開示】
【発明が解決しようとする課題】
【０００５】
従って、本発明は、上記問題に対する解決法を提供することを目的とする。
【課題を解決するための手段】
【０００６】
１つの態様に従って、本発明は、ネットワーク装置においてユーザによって選択されたコンテンツを前記ネットワーク装置から目標装置へ送信する方法であって、前記ユーザは、ユーザアカウントＩＤによって識別される前記ネットワーク装置に保存されたユーザアカウントデータを有し、前記ユーザアカウントデータは、前記目標装置のネットワークアドレスを少なくとも含む方法に関し、当該方法は：
−  前記ユーザアカウントデータに関して前記ユーザから前記ユーザアカウントＩＤを受信するステップ，及び
−  前記ユーザアカウントデータに含まれる前記ネットワークアドレスに基づいて前記目標装置へ前記選択されたコンテンツを送信するステップ，
を有する。
【０００７】
このようにして、前記ユーザは、コンテンツを選択した後に、簡単且つユーザフレンドリな方法で目標ＩＤを参照することができる。その結果として、前記目標装置は、前記コンテンツを送信する場合に、前記ネットワーク装置によって一意に識別される。
【０００８】
一実施例で、前記目標装置のコンテンツ配信プロトコルは、更に、前記ユーザアカウントデータに含まれる。前記ネットワーク装置は、それによって、その送信プロトコルを前記目標装置の前記コンテンツ配信プロトコルへ適合させることができる。
【０００９】
他の実施例で、前記ユーザアカウントデータは、前記目標装置と前記ネットワーク装置との間の接続を開始して、前記アカウントデータを前記ネットワーク装置へ送信することによって取得される。それによって、例えばウィルスに対する安全性が確保されるように、前記目標装置によって一意に識別されない第３のエージェントが、この目標装置へコンテンツを送信し得ることが防がれる。更に、前記アカウントデータは、前記目標装置を介してユーザフレンドリな方法で前記ネットワーク装置へ供給される。
【００１０】
更なる実施例で、前記ネットワーク装置は、前記目標装置のコンテンツ配信プロトコルを要求するよう前記選択されたコンテンツを送信する前に前記目標装置へ要求を送信する。前記目標装置へコンテンツを送信する動的方法は、このような方法で取得される。この方法では、コンテンツは、例えば、夫々の目標装置が送信の前にそのコンテンツ配信プロトコルを要求されるところの１よりも多い目標装置へ適合され得る。
【００１１】
更なる実施例で、前記目標装置は、コンテンツが前記ユーザによって要求されたかどうかを定期的に確認し、それに基づいて前記コンテンツの送信を開始する。このようにして、前記コンテンツの送信は、前記目標装置によって制御又は開始される。
【００１２】
本発明は、また、処理ユニットに上記方法を実行させるための、当該媒体に記憶された命令を有するコンピュータ読取可能な媒体に関する。
【００１３】
他の態様に従って、本発明は、ユーザによって選択されたコンテンツを当該ネットワーク装置から目標装置へ送信するネットワーク装置であって、前記ユーザは、ユーザアカウントＩＤによって識別される当該ネットワーク装置に保存されたユーザアカウントデータを有し、前記ユーザアカウントデータは、前記目標装置のネットワークアドレスを少なくとも含むネットワーク装置に関し、当該ネットワーク装置は：
−  前記ユーザアカウントデータに関して前記ユーザから前記ユーザアカウントＩＤを受信する手段，及び
−  前記ユーザアカウントデータに含まれる前記ネットワークアドレスに基づいて前記目標装置へ前記選択されたコンテンツを送信する手段，
を有する。
【００１４】
他の態様に従って、本発明は、ネットワーク装置及び少なくとも１つの目標装置を有し、前記ネットワーク装置は、ユーザによって選択されたコンテンツを前記ネットワーク装置から前記少なくとも１つの目標装置へ送信し、前記ユーザは、ユーザアカウントＩＤによって識別される前記ネットワーク装置に保存されたユーザアカウントデータを有し、前記ユーザアカウントデータは、前記少なくとも１つの目標装置のネットワークアドレスを少なくとも含むネットワークシステムに関し、当該ネットワークシステムは：
−  前記ユーザアカウントデータに関して前記ユーザからの前記ユーザアカウントＩＤを使用する手段，及び
−  前記ユーザアカウントデータに含まれる前記ネットワークアドレスに基づいて前記少なくとも１つの目標装置へ前記選択されたコンテンツを送信する手段，
を有する。
【００１５】
一実施例で、前記ユーザアカウントデータは、前記目標装置と前記ネットワーク装置との間の接続を開始して、前記ネットワークアドレスを前記ネットワーク装置へ送信することによって取得される。
【００１６】
他の実施例で、ウェブサーバは、前記少なくとも１つの目標装置と前記ネットワーク装置との間の前記接続を開始するために使用される。その場合に、ユーザは、例えば、容易にアカウントアドレスを作ることができる。
【００１７】
一実施例で、前記ウェブサーバは、前記少なくとも１つの目標装置に組み込まれる。他の実施例で、前記ウェブサーバは、前記少なくとも１つの目標装置の外部に配置される。前者の場合には、前記ウェブサーバ及び前記目標装置はＰＣコンピュータであっても良く、ユーザは、単一の装置により前記アカウントデータを前記ネットワーク装置へ供給する。後者の場合には、ユーザ目標装置は、ユーザが前記アカウントデータを供給する場合にアクセスするウェブサーバとして作動しても良い。
【００１８】
他の実施例で、前記ネットワーク装置は、様々な目標装置と互換性がある。このようにして、ユーザは、様々なコンテンツ配信プロトコルを適合させうる幾つかの目標装置に関する幾つかのアカウントデータを前記ネットワーク装置に供給することができる。
【００１９】
更なる実施例で、前記少なくとも１つの目標装置はポーリング装置である。このようにして、前記目標装置は、新しいコンテンツが要求又は獲得されたかどうかを定期的に確認することができる。
【発明を実施するための最良の形態】
【００２０】
本発明の好ましい実施例について、以下で図面を参照して説明する。
【００２１】
図１は、組み込み式ウェブブラウザを備える目標装置１０１と、ネットワーク装置１０２とを有する本発明に従うシステムを表す。目標装置１０１は、ネットワーク装置１０２に記憶されたユーザアカウントデータによってネットワーク装置１０２により一意に識別される。ユーザアカウントデータは、目標装置１０１の、例えばＩＰアドレスといったネットワークアドレスを少なくとも有する。好ましい実施例で、ユーザアカウントデータは、ネットワーク装置１０２が目標装置と互換性を有することを可能にする目標装置（複数の目標装置）のコンテンツ配信プロトコルを更に有する。当然、ネットワーク装置１０２におけるユーザアカウントは、様々な目標装置に関する１よりも多いコンテンツ配信プロトコルを有し、送信されるコンテンツを目標装置によって使用されるコンテンツ配信プロトコルへ適合させても良い。
【００２２】
ネットワーク装置１０２並びに図２及び３の実施例に関するそれらの装置（２０２，３０２）は、例えば上記ユーザアカウントデータを記憶するためのメモリと、例えばユーザアカウントデータに関する処理装置と、例えばユーザ又は目標装置１０１からの外部要求を受信するための受信器と、ネットワーク装置１０２から目標装置１０１へコンテンツを送信するための送信器とを設けられる。
【００２３】
図１の実施例では、目標装置１０１及び組み込み式ウェブブラウザは、ユーザの自宅１００に置かれている。そこから、ユーザアカウントデータはネットワーク装置１０２へ送信される。これは、ウェブブラウザ１０１からネットワーク装置１０２にアクセスすることによって行われ、それによって、目標装置１０１とネットワーク装置１０２との間の接続を開始することができる。その後、ユーザ１０４は、例えば、ユーザアカウントＩＤと、例えばＩＰアドレスといった目標装置のネットワークアドレスとを提示するよう要求されうる。更に、ユーザは、請求書送付先（例えば、クレジットカード番号。）、ユーザ名、及びユーザ１０４に関する他の詳細情報等を提示しうる。ユーザアカウントＩＤは、ユーザが外部からネットワーク装置１０２を使って作業する場合に、ユーザ１０４がこのアカウントを参照することを容易にするよう適合されうる。これは、例えばＷＡＰやｉモード（登録商標）等の、如何なる種類の携帯型のウェブブラウザ１０３によって行われても良い。その場合に、ユーザ１０４は、例えば、ネットワーク装置１０２においてコンテンツを購入することができる。ネットワーク装置１０２は、例えば、ユーザアカウントＩＤにより目標装置１０１に関するユーザアカウントデータを参照することによって、例えば映画や音楽等の、デジタルコンテンツを売るコンテンツショップであっても良い。一実施例で、目標装置１０１は、コンテンツが要求又は購入されたか否かをネットワーク装置１０２で定期的に確認する。コンテンツが要求又は購入された場合には、目標装置１０１は、ネットワーク装置１０２から目標装置１０１へのコンテンツの送信を開始する。他の実施例で、ネットワーク装置１０２は、コンテンツが購入されて、請求書を送付されると直ぐに、目標装置１０１へコンテンツを自動的に送信する。目標装置１０１のコンテンツ配信プロトコルは、また、アカウントデータにおいて与えられうるので、ネットワーク装置１０２は、送信するプロトコル（例えば、ｍｂｆ。）を、目標装置１０１によって使用される上記コンテンツ配信プロトコルへ適合させる。
【００２４】
一実施例で、ネットワーク装置１０２は、目標装置１０１のコンテンツ配信プロトコルに関して目標装置１０１に要求する。この実施例では、目標装置１０１は、この要求に応答するよう構成され、要求に基づいて、ネットワーク装置１０２は、送信するプロトコルをコンテンツ配信プロトコルへ適合させる。
【００２５】
当然、ユーザの自宅１００は、ネットワーク装置１０２でアカウントデータに記憶される様々なアカウントアドレスを有する様々な目標装置を設けられても良い。ユーザ１０４は、このようにして、例えば音楽又は映画といった様々な種類のコンテンツを購入することができ、夫々のコンテンツ配信は、様々な目標装置に適合され得る。
【００２６】
代替的に、ユーザの自宅１００は、ネットワーク装置１０２で同じアカウントアドレスを有する様々な目標装置を設けられても良い。ユーザ１０４は、このようにして、例えば音楽又は映画といった様々な種類のコンテンツを購入することができ、夫々のコンテンツ配信は、様々な目標装置（例えば、幾つは映像を扱うことができ、幾つかは音楽を扱うことができる。）に適合され得る。一実施例で、ネットワーク装置１０２は、オンされている全ての目標装置へコンテンツを送信する。このようなコンテンツを受信するよう構成されたそれらの目標装置は、コンテンツを受信して、例えばそのコンテンツを記憶しうる。一方、このようなコンテンツを受信するよう構成されない他の装置は、然るべく応答しうる。即ち、このコンテンツがそれら他の装置に提供されるよう意図されないことを表示する。
【００２７】
他の実施例で、アカウントデータは、目標装置１０１へ接続するためにいずれかの種類のウェブブラウザを使用することによって、ユーザの自宅１００から外部にネットワーク装置１０２へ送信され、上記ステップは、その後、目標装置１０１を介してネットワーク装置１０２でユーザアカウントデータを提供するために実行される。これは、ユーザがネットワーク装置１０２へ上記アカウントデータを提供しない場合に最初のステップとなりうる。例えば、ユーザは、帰宅途中に電車に乗っている最中に、自身の携帯電話を使用することによって、アカウントアドレスを作って、その後、家に着いたときに観るためのビデオ映画を注文することができる。
【００２８】
更なる実施例で、アカウントデータが供給され、１又はそれ以上の目標装置１０１は、例えばコンテンツが初めてそれらの目標装置へ送信されるべき場合に、その後にアカウントへ結合される。
【００２９】
更なる実施例で、目標装置１０１は、安全な認証チャネル（ＳＡＣ）のような暗号手段を介してネットワーク装置１０２へ認証される。このＳＡＣは、ネットワーク装置における目標装置の登録の際に交換される共有の秘密又は公／個人のキーペアに基づくことができる。
【００３０】
図２は、本発明の他の実施例を示す。図２で、目標装置２０１及びブラウザ２０４は、２つの別個の装置である。この実施例では、目標装置２０１は、ユーザ２０５が、例えばＰＣコンピュータ、ｉプロント又はＰＤＡ等のいずれかの種類のウェブブラウザ２０４によりユーザの自宅２００の中で、又は自宅の外で（図示せず。）アクセスしうるところのウェブサーバとして機能する。ユーザ２０５は、その場合に、ウェブページを提示されても良い。ウェブページ上で、ユーザは、ユーザが訪問しようしているネットワーク装置２０２におけるネットワークショップのＵＲＬ（Ｕｎｉｆｏｒｍ  Ｒｅｓｏｕｒｃｅ  Ｌｏｃａｔｏｒ）を入力することができる。例えば、目標装置２０１は、ショップへ接続して、ショップが、目標装置２０１と互換性があるコンテンツ配信機構を有することを確かめるためにＵＲＬを使用することができる。ショップがそのようなコンテンツ配信機構を有する場合には、目標装置は、ショップからアカウント設定ウェブページを取得し、それらをそれ自体のウェブページと結合し、このようにして、ユーザ２０５がショップでアカウントを設定して、ユーザアカウントデータを送信することを可能にする。このステップは、当然、図１を参照して記載された実施例に適用可能である。アカウントデータが供給された後に、ユーザ２０５は、ショップを見て回り、ログインし、買い物をするために、例えばｉモード（登録商標）やＷＡＰといった如何なるブラウザ装置をも使用することができる。独立して、目標装置２０１は、コンテンツ配信が、図１を参照して記載されたような定期的な確認により開始されることを確かめ、あるいは、ネットワーク装置２０２は、目標装置２０１へ自動的にコンテンツを送信しても良い。
【００３１】
図３は、本発明の他の実施例を示す。図３で、目標装置３０１は、例えば、ユーザ３０５が図１及び２を参照して先に記載されたような方法でネットワーク装置３０２においてユーザアカウントデータを提供するために使用されうるウェブサイトを有する製造者によって、インターフェース、望ましくは独自仕様のインターフェースを介して制御される。
【００３２】
図１から３を参照して記載される目標装置は、ポーリング装置であっても良い。代替的に、目標装置は、ネットワーク装置からのコンテンツ送信を確認して開始させられても良い。このようなトリガは、ホームネットワーク、インターネット、ＳＭＳ／ＭＭＳ又は他の機構を介する他の装置からの命令であっても良い。図１から３を参照して記載される実施例は、当然容易に組み合わせられ得る。
【００３３】
留意すべきは、上記実施例は、本発明を限定しているのではなく説明しているのであって、当業者は、添付の特許請求の範囲の適用範囲を逸脱することなく多数の代替の実施例を設計することができる点である。特許請求の範囲で、括弧内に置かれた如何なる参照符号も、請求の範囲を限定するよう解釈されるべきではない。語「有する」及びその活用形の使用は、請求項に挙げられた以外の要素又はステップの存在を除外するわけではない。本発明は、幾つかの個別素子を有するハードウェアによって、及び、適切にプログラミングされたコンピュータによって実施可能である。幾つかの手段を列挙する装置クレームでは、これらの手段の幾つかは、ハードウェアの同一の部品によって具現化されても良い。ある手段が相互に異なった従属請求項で挙げられているという事実は、これらの手段の組合せが有利に用いられ得ないことを示すわけではない。
【図面の簡単な説明】
【００３４】
【図１】組み込み式ウェブブラウザを備える目標装置と、ネットワーク装置とを有する本発明に従うシステムを表す。
【図２】目標装置及びブラウザが２つの別個の装置であるところの本発明の他の実施例を示す。
【図３】目標装置がインターフェースを介して制御されるところの本発明の更なる実施例を示す。
【図１】
2008526053.tif 000003
【図２】
2008526053.tif 000004
【図３】
2008526053.tif 000005
【国際調査報告】
2008526053.tif 000006
2008526053.tif 000007